(57)【要約】【課題】加齢や出産などによって臀部の形状が歪み、ヒップラインの位置が以前のそれに比して下がった体形であっても、着用感を損ねることなく、臀部が下がるのを防止し、ヒップラインを以前の位置に近づけて所望のヒップアップ効果を得るようにしたスラックスを提供する。【解決手段】後身頃１４の内側の臀部付近に配置される複数個の伸縮片３４Ｌ，３４Ｒを、その上底部が後身頃の腰部に、その下底部の少なくとも一部が後身頃の脇側１４Ｒｃに縫着される第１の伸縮片３４Ｒ１（３４Ｌ１）と、その一端が後身頃の後股ぐり１４Ｒａ下端と股下部１４Ｒｂ上端付近に、その他端が後身頃の脇側１４Ｒｃに縫着される第２の伸縮片３４Ｒ２（３４Ｌ２）と、およびその一端が後身頃の後股ぐり下端と股下部上端付近に、その他端が後身頃の脇側に縫着される第３の伸縮片３４Ｒ３（３４Ｌ３）とから構成すると共に、第１から第３の伸縮片が部分的に重なり合うようにする。【選択図】図３
0003118292.tif 000002
【実用新案登録請求の範囲】
【請求項１】
左右の前身頃と、左右の後身頃と、前記左右の後身頃の内側の臀部付近にそれぞれ配置される複数個の伸縮片とを少なくとも備えるスラックスにおいて、前記複数個の伸縮片を、
ａ．略台形状の布片から製作されると共に、その上底部が前記後身頃の腰部あるいはその付近に縫着される一方、その下底部の少なくとも一部が前記後身頃の脇側に縫着される第１の伸縮片と、
ｂ．略矩形状の布片から製作されると共に、その一端が前記後身頃の後股ぐり下端から股下部上端付近に亘って縫着される一方、その他端が前記後身頃の脇側に縫着される第２の伸縮片と、
および
ｃ．前記第２の伸縮片に比して面積の大きい略Ｌ字状の布片から製作されると共に、その一端が前記後身頃の後股ぐり下端から股下部上端付近に亘って縫着される一方、その他端が前記後身頃の脇側に縫着される第３の伸縮片と、
から構成すると共に、前記第１から第３の伸縮片が部分的に重なり合うように構成することを特徴とするスラックス。
【請求項２】
前記第１から第３の伸縮片の任意方向における長さをそれぞれ、前記任意方向における前記後身頃の対応する部位の長さに比して小さくすることを特徴とする請求項１記載のスラックス。
【請求項３】
前記左右の前身頃にそれぞれポケットを備えると共に、前記ポケットの袋布の一端を前記前身頃の前立部に縫着する一方、前記ポケットの袋布の他端を前記前身頃の脇側に縫着することを特徴とする請求項１または２記載のスラックス。
【請求項４】
左右の前身頃と、左右の後身頃と、前記左右の後身頃の内側の臀部付近にそれぞれ配置される複数個の伸縮片とを少なくとも備えるスラックスにおいて、前記複数個の伸縮片を、
ａ．略矩形状の布片から製作されると共に、その一端が前記後身頃のバックセンタ付近に縫着される一方、その他端が前記後身頃の脇側下端付近に縫着される第１の伸縮片と、
および
ｂ．略矩形状の布片から製作されると共に、その一端が前記後身頃の後股ぐり下端から股下部上端付近に亘って縫着される一方、その他端が前記後身頃の脇側上端付近に縫着される第２の伸縮片と、
から構成すると共に、前記第１、第２の伸縮片を交差させて部分的に重なり合うように構成することを特徴とするスラックス。
【請求項５】
前記第１、第２の伸縮片の任意方向における長さをそれぞれ、前記任意方向における前記後身頃の対応する部位の長さに比して小さくすることを特徴とする請求項４記載のスラックス。
【請求項６】
前記左右の前身頃にそれぞれポケットを備えると共に、前記ポケットの袋布を伸縮性布地と非伸縮性布地とから製作し、前記伸縮性布地を前記前身頃の前立部に縫着する一方、前記非伸縮性布地を前記前身頃の脇側に縫着することを特徴とする請求項４または５記載のスラックス。
【考案の詳細な説明】
【技術分野】
【０００１】
この考案は、スラックスに関し、より詳しくは後身頃の内側の臀部付近に複数個の伸縮片を備えるスラックスに関する。
【背景技術】
【０００２】
近年、スラックス（特に、女性用のスラックス）において、着用したときのヒップラインを上げて脚を長く見せるようにする機能、いわゆるヒップアップ機能を有するものが種々提案されている（例えば、特許文献１参照）。
【特許文献１】特開２００５−９７７９６号公報
【考案の開示】
【考案が解決しようとする課題】
【０００３】
ところで、人間は年齢を重ねると（特に女性は出産などを経験すると）、臀部（ヒップ）の形状が歪み（例えばヒップ全体が垂れ下がる、あるいは脇側へ広がり）、ヒップラインの位置が以前のそれに比して下がった体形となることが多い。
【０００４】
そのような体形の人が、特許文献１記載のスラックス、具体的には、臀部全体を締めつけるようにしたパワーネット片を備えるスラックスを着用すると、ヒップラインは若干上がるものの、臀部の垂れ下がった部位などに違和感（例えば、圧迫感やムレ感）を覚える恐れがあり、着用感（着心地）の点で改善の余地を残していた。
【０００５】
従って、この考案の目的は上記した課題を解決することにあり、加齢や出産などによってヒップ全体が垂れ下がる、あるいは脇側へ広がってヒップラインの位置が以前のそれに比して下がった体形であっても、着用感を損ねることなく、臀部が下がるのを防止し、ヒップラインを以前の位置に近づけて所望のヒップアップ効果を得るようにしたスラックスを提供することにある。
【課題を解決するための手段】
【０００６】
上記の課題を解決するために、請求項１にあっては、左右の前身頃と、左右の後身頃と、前記左右の後身頃の内側の臀部付近にそれぞれ配置される複数個の伸縮片とを少なくとも備えるスラックスにおいて、前記複数個の伸縮片を、略台形状の布片から製作されると共に、その上底部が前記後身頃の腰部あるいはその付近に縫着される一方、その下底部の少なくとも一部が前記後身頃の脇側に縫着される第１の伸縮片と、略矩形状の布片から製作されると共に、その一端が前記後身頃の後股ぐり下端から股下部上端付近に亘って縫着される一方、その他端が前記後身頃の脇側に縫着される第２の伸縮片と、および前記第２の伸縮片に比して面積の大きい略Ｌ字状の布片から製作されると共に、その一端が前記後身頃の後股ぐり下端から股下部上端付近に亘って縫着される一方、その他端が前記後身頃の脇側に縫着される第３の伸縮片と、から構成すると共に、前記第１から第３の伸縮片が部分的に重なり合うように構成した。
【０００７】
請求項２にあっては、前記第１から第３の伸縮片の任意方向における長さをそれぞれ、前記任意方向における前記後身頃の対応する部位の長さに比して小さくするように構成した。
【０００８】
請求項３にあっては、前記左右の前身頃にそれぞれポケットを備えると共に、前記ポケットの袋布の一端を前記前身頃の前立部に縫着する一方、前記ポケットの袋布の他端を前記前身頃の脇側に縫着するように構成した。
【０００９】
請求項４にあっては、左右の前身頃と、左右の後身頃と、前記左右の後身頃の内側の臀部付近にそれぞれ配置される複数個の伸縮片とを少なくとも備えるスラックスにおいて、前記複数個の伸縮片を、略矩形状の布片から製作されると共に、その一端が前記後身頃のバックセンタ付近に縫着される一方、その他端が前記後身頃の脇側下端付近に縫着される第１の伸縮片と、および略矩形状の布片から製作されると共に、その一端が前記後身頃の後股ぐり下端から股下部上端付近に亘って縫着される一方、その他端が前記後身頃の脇側上端付近に縫着される第２の伸縮片と、から構成すると共に、前記第１、第２の伸縮片を交差させて部分的に重なり合うように構成した。
【００１０】
請求項５にあっては、前記第１、第２の伸縮片の任意方向における長さをそれぞれ、前記任意方向における前記後身頃の対応する部位の長さに比して小さくするように構成した。
【００１１】
請求項６にあっては、前記左右の前身頃にそれぞれポケットを備えると共に、前記ポケットの袋布を伸縮性布地と非伸縮性布地とから製作し、前記伸縮性布地を前記前身頃の前立部に縫着する一方、前記非伸縮性布地を前記前身頃の脇側に縫着するように構成した。
【考案の効果】
【００１２】
請求項１に係るスラックスにあっては、左右の後身頃の内側の臀部付近にそれぞれ配置される複数個の伸縮片を、略台形状の布片から製作されると共に、その上底部が後身頃の腰部あるいはその付近に縫着される一方、その下底部の少なくとも一部が後身頃の脇側に縫着される、即ち、臀部が下がるのを防止するような形状を呈する第１の伸縮片と、略矩形状の布片から製作されると共に、その一端が後身頃の後股ぐり下端から股下部上端付近に亘って縫着される一方、その他端が後身頃の脇側に縫着される、別言すれば、臀部の下方付近をのせるような形状の第２の伸縮片と、および第２の伸縮片に比して面積の大きい略Ｌ字状の布片から製作されると共に、その一端が後身頃の後股ぐり下端から股下部上端付近に亘って縫着される一方、その他端が後身頃の脇側に縫着される、即ち、臀部を包み込みつつ引き上げるような形状を呈する第３の伸縮片とから構成すると共に、第１から第３の伸縮片が部分的に重なり合うように構成したので、臀部の下方付近を第１から第３の伸縮片が重なり合った部分にのせて引き上げることができる。それにより、加齢や出産などによってヒップ全体が垂れ下がり、ヒップラインの位置が以前のそれに比して下がった体形であっても、着用感を損ねることなく、臀部が下がるのを防止でき、ヒップラインを以前の位置に近づけて所望のヒップアップ効果を得ることができる。
【００１３】
請求項２に係るスラックスにあっては、第１から第３の伸縮片の任意方向における長さをそれぞれ、任意方向における後身頃の対応する部位の長さに比して小さくするように構成、即ち、前記任意方向における後身頃の対応する部位は、その小さくした分（差異分）だけ外側に膨らみ、第１から第３の伸縮片と後身頃との間に浮き（浮かし）が生じるように構成したので、上記した効果に加え、スラックスを着用したときの第１から第３の伸縮片は、第１から第３の伸縮片の任意方向における長さと後身頃の対応する部位の長さとに差異を設けない場合に比してより伸長する、換言すれば、収縮力を増加させることができ、よって臀部をより一層引き上げ、ヒップラインを以前の位置により近づけることができる。
【００１４】
請求項３に係るスラックスにあっては、左右の前身頃にそれぞれポケットを備えると共に、ポケットの袋布の一端を前身頃の前立部に縫着する（挟み込む）一方、ポケットの袋布の他端を前身頃の脇側に縫着するように構成したので、上記した効果に加え、第１から第３の伸縮片の伸縮力を臀部に効率よく伝達することができ、ヒップラインを以前の位置により一層近づけることができる。
【００１５】
即ち、第１から第３の伸縮片に連続するように形成されるポケットの袋布を前立部に挟み込まない場合、袋布と向う布は各伸縮片の伸縮により引っ張られて変形（伸長）し、各伸縮片の伸縮力を分散させるという不具合が生じるが、上記の如く構成することで袋布と向う布は変形し難くなり、それによって前記伸縮力が袋布を介して分散するのを防止できる、換言すれば、前記伸縮力を臀部に効率よく伝達することができる。
【００１６】
請求項４に係るスラックスにあっては、略矩形状の布片から製作されると共に、その一端が後身頃のバックセンタ付近に縫着される一方、その他端が後身頃の脇側下端付近に縫着される第１の伸縮片と、略矩形状の布片から製作されると共に、その一端が後身頃の後股ぐり下端から股下部上端付近に亘って縫着される一方、その他端が後身頃の脇側上端付近に縫着される第２の伸縮片とを交差させて部分的に重なり合うように構成したので、臀部を前記重なり合った部分で押さえつけることができ、臀部の形状を整える、即ち、矯正（補整）することができる。それにより、臀部全体が若干歪む、例えばヒップ全体が僅かに垂れ下がる、あるいは脇側へ少し広がってヒップラインの位置が僅かに下がった体形であっても、着用感を損ねることなく、所望のヒップアップ効果を得ることができる。
【００１７】
請求項５に係るスラックスにあっては、第１、第２の伸縮片の任意方向における長さをそれぞれ、前記任意方向における後身頃の対応する部位の長さに比して小さくするように構成、即ち、前記任意方向における後身頃の対応する部位は、その小さくした分（差異分）だけ外側に膨らみ、第１、第２の伸縮片と後身頃との間に浮き（浮かし）が生じるように構成したので、請求項４で述べた効果に加え、スラックスを着用したときの第１、第２伸縮片は、第１、第２の伸縮片の任意方向における長さと後身頃の対応する部位の長さとに差異を設けない場合に比してより伸長する、換言すれば、収縮力を増加させることができ、よって臀部をより押さえつけることができ、その形状をより一層矯正することができる。
【００１８】
請求項６に係るスラックスにあっては、左右の前身頃にそれぞれポケットを備えると共に、ポケットの袋布を伸縮性布地と非伸縮性布地とから製作し、伸縮性布地を前身頃の前立部に縫着する（挟み込む）一方、非伸縮性布地を前身頃の脇側に縫着する、即ち、伸縮性布地を下腹部付近に配置し、下腹部を押さえつけるように構成したので、請求項４および５で述べた効果に加え、着用者の姿勢を良くすることができ、それに伴って臀部の形状も良くする（整える）ことができる。
【考案を実施するための最良の形態】
【００１９】
以下、添付図面に即してこの考案に係るスラックスを実施するための最良の形態について説明する。
【実施例１】
【００２０】
図１は、この考案の第１実施例に係るスラックスの正面図であり、図２は、図１に示すスラックスの背面図である。
【００２１】
図１および図２において、符号１０はスラックス、例えば紙面の横方向に伸縮自在なデニム生地から製作される女性用のジーンズ（パンツ）を示す。スラックス１０は、左右の前身頃１２Ｌ，１２Ｒと、左右の後身頃１４Ｌ，１４Ｒと、前身頃１２と後身頃１４の上端に接続されるベルト部１６と、左右の前身頃１２Ｌ，１２Ｒにそれぞれ形成されるフロントポケット（ポケット）１８Ｌ，１８Ｒと、左の前身頃１２Ｌと右の前身頃１２Ｒの間に形成され、ファスナ（図１で見えず）を被覆する前立部２０とを備える。尚、この明細書で「左右」とは、着用者にとっての左右方向を意味する。
【００２２】
図２に示す如く、スラックス１０はさらに、左右の後身頃１４Ｌ，１４Ｒにそれぞれヒップポケット２４Ｌ，２４Ｒを備える。ヒップポケット２４Ｌ，２４Ｒとベルト部１６との間には、略台形状を呈する２枚の布地からなる後ろヨーク２６が取り付けられると共に、後ろヨーク２６とヒップポケット２４Ｌ，２４Ｒの間には、ダーツ３０が形成される。
【００２３】
図３は、図２に示す左右の後身頃１４Ｌ，１４Ｒの内側の臀部付近をスラックス１０を展開して表す拡大展開図である。この明細書で「内側」とは、着用されたスラックスにおいて着用者に接触する側あるいは被覆される部分を意味し、「外側」とは、着用者に接触しない側あるいは被覆されない部分を意味する。
【００２４】
図３に示すように、左右の後身頃１４Ｌ，１４Ｒの内側の臀部付近には、それぞれ複数個の伸縮片３４Ｌ，３４Ｒが配置される。以下において右の後身頃１４Ｒに配置される伸縮片３４Ｒを例に挙げて説明するが、左右の伸縮片は略左右対称のため、以下の説明は左の後身頃１４Ｌに配置される伸縮片３４Ｌにも妥当する。
【００２５】
上記した複数個の伸縮片３４Ｒは、具体的には３個の伸縮片（第１から第３の伸縮片３４Ｒ１，３４Ｒ２，３４Ｒ３）から構成される。
【００２６】
図４から図６は、図３に示す第１から第３の伸縮片３４Ｒ１，３４Ｒ２，３４Ｒ３のパターンを拡大して示す拡大平面図である。尚、図４から図６に示す各伸縮片３４Ｒ１，３４Ｒ２，３４Ｒ３と図３に示すそれとは形状が若干相違するが、それは、図４から図６が各伸縮片のスラックス１０に取り付ける前の状態（置き寸）を表しているのに対し、図３はスラックス１０の着用時において各伸縮片が伸長した状態を表したためである。
【００２７】
第１の伸縮片３４Ｒ１は、図４に示すように、後身頃１４Ｒの形状に即した略台形状を呈する布片から製作される。布片はナイロンやポリウレタンなどの混合糸からなる伸縮自在な生地（パワーネット）であり、例えばナイロン  ７０ｄ／ポリウレタン  ２８０ｄ、ゲージ：２４Ｇ／ｉｎ、コース：５４±２Ｃ／ｉｎ、ウェル：３２Ｗ／ｉｎ、生地厚０．４８ｍｍであって、その生地に１ｋｇの荷重を所定方向（縦目）にかけるとき約１３２％、前記所定方向と直交する方向（横目）にかけるとき約６５％伸びる特性（伸長性）を有するものを使用する。第１の伸縮片３４Ｒ１においては、図に矢印Ａで示す方向（横方向）が前記所定方向と一致するように裁断する。
【００２８】
また、第１の伸縮片３４Ｒ１には、図示の如く、略三角形状を呈するように２本のステッチ３６が形成されると共に、前記三角形の頂点部３６ａが第１の伸縮片３４Ｒ１の中央付近となるようにする。
【００２９】
次いで、第２の伸縮片３４Ｒ２について説明する。図５に示す如く、第２の伸縮片３４Ｒ２は、後身頃１４Ｒの形状に即した形状、具体的には略矩形状（より具体的には略長方形状）の布片から製作され、その布片は、第１の伸縮片３４Ｒ１と同様の生地を使用する。第２の伸縮片３４Ｒ２においては、図に矢印Ｂで示す方向（縦方向）が前記した所定方向と一致するように形成する。
【００３０】
第３の伸縮片３４Ｒ３は、図６に示すように、後身頃１４Ｒの形状に即し、第２の伸縮片３４Ｒ２に比して面積の大きい略Ｌ字状を呈する布片から製作される。また、第３の伸縮片３４Ｒ３の布片も、第１の伸縮片３４Ｒ１と同様の生地を使用する。第３の伸縮片３４Ｒ３においては、図に矢印Ｃで示す方向（横方向）が前記した所定方向と一致するように裁断する。図６において、理解の便宜のため第３の伸縮片３４Ｒ３の中央付近にステッチ３８を示したが、それは、後述する如く、第２の伸縮片３４Ｒ２と第３の伸縮片３４Ｒ３とを縫着するときに形成されるものである。
【００３１】
上記した第１から第３の伸縮片３４Ｒ１，３４Ｒ２，３４Ｒ３において、任意方向における長さをそれぞれ、前記任意方向における後身頃１４Ｒの対応する部位（取り付けられる部位）の長さに比して小さくするように構成する。これについて、以下具体的に説明する。
【００３２】
図７は、図３に示す第１から第３の伸縮片３４Ｒ１，３４Ｒ２，３４Ｒ３が、左右の後身頃１４Ｌ，１４Ｒの内側の臀部付近に配置される前の状態を部分的に表す、図３と同様な拡大部分展開図である。
【００３３】
第１の伸縮片３４Ｒ１の任意方向の長さ、例えば図４の長さａを２１．４ｃｍとすると共に、それに対応する後身頃１４Ｒの部位の長さ（図７に「ａ´」で示す）を２３．０ｃｍとし、差異を１．６ｃｍとする。別言すれば、第１の伸縮片３４Ｒ１の任意方向の長さをそれに対応する後身頃の部位の長さに対して約６．９％小さくする。
【００３４】
また、第２の伸縮片３４Ｒ２の任意方向の長さ、例えば図５の長さｂ（ワタリ方向の長さ）を２８．５ｃｍとすると共に、それに対応する後身頃１４の部位の長さ（図７に「ｂ´」で示す。ワタリ方向の長さ）を３１．７ｃｍとし、差異を３．２ｃｍとする。換言すれば、第２の伸縮片３４Ｒ２の任意方向の長さをそれに対応する後身頃の部位の長さに対して約１０．０％小さくする。
【００３５】
また、第３の伸縮片３４Ｒ３の任意方向の長さ、例えば図６で符号ｃで示す長さを３５．９ｃｍとすると共に、それに対応する後身頃１４の部位の長さｃ´（図７に示す）を３９．２ｃｍとし、差異を３．３ｃｍとする。別言すれば、第３の伸縮片３４Ｒ３の任意方向の長さをそれに対応する後身頃の部位の長さに対して約８．４％小さくする。
【００３６】
次いで、上記のように構成された第１から第３の伸縮片３４Ｒ１，３４Ｒ２，３４Ｒ３の後身頃１４Ｒへの取り付けについて説明する。
【００３７】
先ず、第２の伸縮片３４Ｒ２の上に第３の伸縮片３４Ｒ３を、それぞれの下端３４Ｒ２ａと３４Ｒ３ａを揃えて重ね合わせる。次いで、第２の伸縮片３４Ｒ２の上端３４Ｒ２ｂと第３の伸縮片３４Ｒ３とを縫着して一体とする。そのとき、第３の伸縮片３４Ｒ３には前記したステッチ３８が形成される。
【００３８】
第１の伸縮片３４Ｒ１の上に、一体となった第２、第３の伸縮片３４Ｒ２，３４Ｒ３を、それぞれの下端（あるいは下底部）３４Ｒ１ａ，３４Ｒ２ａ，３４Ｒ３ａを揃えると共に、それぞれの図において左側の脇を揃えて重ね合わせる。次いで、各伸縮片の下端（あるいは下底部）３４Ｒ１ａ，３４Ｒ２ａ，３４Ｒ３ａを縫着し、第１から第３の伸縮片３４Ｒ１，３４Ｒ２，３４Ｒ３を一体とする。即ち、第１から第３の伸縮片３４Ｒ１，３４Ｒ２，３４Ｒ３は、図３に示す如く、部分的に重なり合うようにして下底部３４Ｒ１ａ、下端３４Ｒ２ａ、下端３４Ｒ３ａが縫着される。
【００３９】
次いで、既にダーツ３０が形成されると共に、後ろヨーク２６およびヒップポケット２４Ｒが取り付けられた後身頃１４Ｒに、一体となった第１から第３の伸縮片３４Ｒ１，３４Ｒ２，３４Ｒ３を取り付ける（縫着する）。
【００４０】
具体的には、第１から第３の伸縮片３４Ｒ１，３４Ｒ２，３４Ｒ３を臀部付近に配置した後、各伸縮片の適宜位置に形成されるノッチ部分（図示せず）を仮止めする。次いで、第１から第３の伸縮片３４Ｒ１，３４Ｒ２，３４Ｒ３の中心線Ｄと、後身頃１４Ｒの中心線Ｅとを合わせつつ（一致させつつ）、第２、第３の伸縮片３４Ｒ２，３４Ｒ３を後身頃の後股ぐり１４Ｒａおよび股下部１４Ｒｂに縫着する（尻巻き工程）。その後、第１から第３の伸縮片３４Ｒ１，３４Ｒ２，３４Ｒ３を後身頃１４Ｒの脇側１４Ｒｃに縫着する（脇合わせ工程）と共に、第１の伸縮片３４Ｒ１の上底部３４Ｒ１ｂを後身頃の腰部（正確には、後身頃１４Ｒと後ろヨーク２６の間であって、前記した後身頃１４Ｒの中心線Ｅ付近）に縫着する。
【００４１】
より具体的には、第１の伸縮片３４Ｒ１は、その上底部３４Ｒ１ｂが後身頃の腰部に縫着される一方、その下底部３４Ｒ１ａの少なくとも一部（正確には、側端３４Ｒ１ｃ）が後身頃の脇側１４Ｒｃに縫着される。また、第２の伸縮片３４Ｒ２は、その一端３４Ｒ２ｃが後身頃の後股ぐり１４Ｒａ下端から股下部１４Ｒｂ上端付近に亘って縫着される一方、その他端３４Ｒ２ｄが後身頃の脇側１４Ｒｃに縫着される。また、第３の伸縮片３４Ｒ３は、その一端３４Ｒ３ｂが後身頃の後股ぐり１４Ｒａ下端から股下部１４Ｒｂ上端付近に亘って縫着される一方、その他端３４Ｒ３ｃが後身頃の脇側１４Ｒｃに縫着される。
【００４２】
その後、第１から第３の伸縮片３４Ｒ１，３４Ｒ２，３４Ｒ３をカバー４０によって被覆する。カバー４０は、第１から第３の伸縮片３４Ｒ１，３４Ｒ２，３４Ｒ３を被覆可能な形状を呈する布片から製作される。カバー４０の布片は、ナイロンやポリウレタンなどの混合糸からなる伸縮自在な生地（パワーネット）であり、例えばナイロン  ３０ｄ／ポリウレタン  １４０ｄ、ゲージ：２８Ｇ／ｉｎ、コース：６８±１Ｃ／ｉｎ、ウェル：３６Ｗ／ｉｎ、生地厚０．３３ｍｍであって、その生地に１ｋｇの荷重を所定方向（縦目）にかけるとき約１９３％、前記所定方向と直交する方向（横目）にかけるとき約７０％伸びる特性（伸長性）を有するものを使用する。また、カバー４０においては、図３に矢印Ｆで示す方向（縦方向）が前記所定方向と一致するように裁断する。尚、図３では、理解の便宜のため、カバー４０を一部省略した。
【００４３】
次いで、前記した右のフロントポケット１８Ｒについて説明する。以下において右のフロントポケット１８Ｒを例に挙げて説明するが、左右のフロントポケットは左右対称のため、以下の説明は左のフロントポケット１８Ｌにも妥当する。
【００４４】
フロントポケット１８Ｒの袋布１８Ｒａは、非伸縮性布地（例えば、ポリエステルと綿の綾物など）から製作される。また、フロントポケット１８Ｒの袋布１８Ｒａは、袋布の一端１８Ｒａ１を前身頃の前立部２０に縫着する（挟み込む）一方、フロントポケットの袋布の他端１８Ｒａ２を前身頃１２Ｒの脇側１２Ｒａに縫着することで、前身頃１２Ｒに取り付けられる。即ち、フロントポケット１８Ｒの袋布１８Ｒａの両端１８Ｒａ１，１８Ｒａ２を前身頃１２Ｒに縫着する。
【００４５】
このように、この考案の第１実施例にあっては、左右の前身頃１２Ｌ，１２Ｒと、左右の後身頃１４Ｌ，１４Ｒと、前記左右の後身頃の内側の臀部付近にそれぞれ配置される複数個の伸縮片３４Ｌ，３４Ｒとを少なくとも備えるスラックス１０において、前記複数個の伸縮片を、略台形状の布片から製作されると共に、その上底部３４Ｒ１ｂが前記後身頃の腰部あるいはその付近に縫着される一方、その下底部３４Ｒ１ａの少なくとも一部（正確には、側端３４Ｒ１ｃ）が前記後身頃の脇側１４Ｒｃに縫着される第１の伸縮片３４Ｒ１（３４Ｌ１）と、略矩形状の布片から製作されると共に、その一端３４Ｒ２ｃが前記後身頃の後股ぐり１４Ｒａ下端から股下部１４Ｒｂ上端付近に亘って縫着される一方、その他端３４Ｒ２ｄが前記後身頃の脇側１４Ｒｃに縫着される第２の伸縮片３４Ｒ２（３４Ｌ２）と、および前記第２の伸縮片に比して面積の大きい略Ｌ字状の布片から製作されると共に、その一端３４Ｒ３ｂが前記後身頃の後股ぐり下端から股下部上端付近に亘って縫着される一方、その他端３４Ｒ３ｃが前記後身頃の脇側に縫着される第３の伸縮片３４Ｒ３（３４Ｌ３）とから構成すると共に、前記第１から第３の伸縮片が部分的に重なり合うように構成したので、臀部の下方付近を第１から第３の伸縮片が重なり合った部分にのせて引き上げることができる。それにより、加齢や出産などによってヒップ全体が垂れ下がり、ヒップラインの位置が以前のそれに比して下がった体形であっても、着用感を損ねることなく、臀部が下がるのを防止でき、ヒップラインを以前の位置に近づけて所望のヒップアップ効果を得ることができる。
【００４６】
第１の伸縮片３４Ｌ１，３４Ｒ１を上記した如く構成したので、臀部が下がるのを防止することができる。また、第１の伸縮片３４Ｌ１，３４Ｒ１において、前記所定方向を矢印Ａで示す方向（横方向）と一致させる、逆にいえば、前記所定方向と直交する方向（即ち、伸長し難い方向（収縮力の比較的低い方向））を縦方向にしたので、第１の伸縮片３４Ｌ１，３４Ｒ１は、着用者に引き上げ感（持ち上げ感）を与えることができる。
【００４７】
第２の伸縮片３４Ｌ２，３４Ｒ２を上記の如く構成したので、臀部の下方付近をのせることができる。また、第３の伸縮片３４Ｌ３，３４Ｒ３を上記したように構成したので、臀部を包み込みつつ引き上げることができる。
【００４８】
また、前記第１から第３の伸縮片３４Ｒ１，３４Ｒ２，３４Ｒ３の任意方向における長さ（ａ，ｂ，ｃ）をそれぞれ、前記任意方向における後身頃の対応する部位の長さ（ａ´，ｂ´，ｃ´）に比して小さくするように構成、即ち、前記任意方向における後身頃の対応する部位は、その小さくした分（差異分）だけ外側に膨らみ、第１から第３の伸縮片と後身頃との間に浮き（浮かし）が生じるように構成したので、スラックス１０を着用したときの第１から第３の伸縮片は、第１から第３の伸縮片の任意方向における長さと後身頃の対応する部位の長さとに差異を設けない場合に比してより伸長する、換言すれば、収縮力を増加させることができ、よって臀部をより一層引き上げ、ヒップラインを以前の位置により近づけることができる。
【００４９】
尚、第１から第３の伸縮片の任意方向における長さと後身頃の対応する部位の長さとの差異の増加に応じて、第１から第３の伸縮片の収縮力も増加するが、収縮力を増加させ過ぎると、スラックス１０を折り畳んだときに前記後身頃の対応する部位が膨らむという不具合が生じる。しかしながら、スラックス１０においては、前記差異を３ｃｍ前後としたので、上記不具合が生じ難い。
【００５０】
また、前記左右の前身頃１２Ｌ，１２Ｒにそれぞれポケット（フロントポケット１８Ｌ，１８Ｒ）を備えると共に、前記ポケットの袋布１８Ｌａ，１８Ｒａの一端を前記前身頃の前立部２０に縫着する（挟み込む）一方、前記ポケットの袋布の他端を前記前身頃の脇側１２Ｌａ，１２Ｒａに縫着する、即ち、ポケットの袋布の両端を前身頃に縫着するように構成したので、前述したようなポケットの袋布を前立部に挟み込まないときの不具合が生じず、第１から第３の伸縮片の伸縮力を臀部に効率よく伝達することができ、ヒップラインを以前の位置により一層近づけることができる。
【００５１】
また、第１、第３の伸縮片３４Ｒ１，３４Ｒ３にステッチ３６，３８を形成して伸長し難い部位を意図的に設けるように構成したので、第１、第３の伸縮片において伸長させたい部位だけを伸長させ、伸縮力が発生する方向などを適宜に設定することができ、よって臀部をより一層効果的に引き上げることができる。
【実施例２】
【００５２】
次いで、この考案の第２実施例に係るスラックス１０について説明する。
【００５３】
図８は、この考案の第２実施例に係る左右の後身頃１４Ｌ，１４Ｒの内側の臀部付近をスラックス１０を展開して表す、図３と同様な拡大展開図である。尚、第２実施例の説明において、第１実施例と共通の構成については、同一の符号を付して説明を省略する。
【００５４】
図８に示すように、左右の後身頃１４Ｌ，１４Ｒの内側の臀部付近には、それぞれ複数個の伸縮片５０Ｌ，５０Ｒが配置される。以下において右の後身頃身１４Ｒに配置された伸縮片５０Ｒを例に挙げて説明するが、左右の伸縮片は略左右対称のため、以下の説明は左の後身頃１４Ｌに配置された伸縮片５０Ｌにも妥当する。
【００５５】
上記した複数個の伸縮片５０Ｒは、具体的には２個の伸縮片（第１および第２の伸縮片５０Ｒ１，５０Ｒ２）から構成される。
【００５６】
図９および図１０は、図８に示す第１、第２の伸縮片５０Ｒ１，５０Ｒ２のパターンを拡大して示す拡大平面図である。図９，１０に示す各伸縮片５０Ｒ１，５０Ｒ２と図８に示すそれとは形状が若干相違するが、それは、図９，１０が各伸縮片のスラックス１０に取り付ける前の状態（置き寸）を表しているのに対し、図８はスラックス１０の着用時において各伸縮片が伸長した状態を表したためである。
【００５７】
第１の伸縮片５０Ｒ１は、図９に示すように、後身頃１４Ｒの形状に即した略矩形状、より具体的には略長方形状の布片から製作される。布片は、第１実施例に係る第１の伸縮片３４Ｌ１などと同様な、ナイロンやポリウレタンなどの混合糸からなる伸縮自在な生地である。第１の伸縮片５０Ｒ１においては、図９に矢印Ｇで示す方向（下端と略直交する方向）が前記所定方向と一致するように形成する。
【００５８】
第２の伸縮片５０Ｒ２は、図１０に示す如く、後身頃１４Ｒの形状に即し、第１の伸縮片５０Ｒ１に比して面積の大きい略矩形状（より詳しくは略長方形状）の布片から製作され、その布片は、第１の伸縮片５０Ｒ１と同様の生地を使用する。第２の伸縮片５０Ｒ２においては、図に矢印Ｈで示す方向（下端と略直交する方向）が前記した所定方向と一致するように裁断する。
【００５９】
上記した第１、第２の伸縮片５０Ｒ１，５０Ｒ２において、任意方向における長さをそれぞれ、前記任意方向における後身頃１４Ｒの対応する部位（取り付けられる部位）の長さに比して小さくするように構成する。これについて、以下具体的に説明する。
【００６０】
図１１は、図８に示す第１、第２の伸縮片５０Ｒ１，５０Ｒ２が、左右の後身頃１４Ｌ，１４Ｒの内側の臀部付近に配置される前の状態を部分的に表す、図８と同様な拡大部分展開図である。
【００６１】
第１の伸縮片５０Ｒ１の任意方向の長さ、例えば図９に示す長さｄを１９．２ｃｍとすると共に、それに対応する後身頃１４Ｒの部位の長さ（図１１に「ｄ´」で示す）を２２．２ｃｍとし、差異を３．０ｃｍとする。別言すれば、第１の伸縮片５０Ｒ１の任意方向の長さをそれに対応する後身頃の部位の長さに対して約１３．５％小さくする。
【００６２】
また、第１の伸縮片５０Ｒ１の任意方向の長さ、例えば図９において符号ｅで示す長さを２６．２ｃｍとすると共に、それに対応する後身頃１４の部位の長さ（図１１に「ｅ´」で示す）を２９．２ｃｍとし、差異を３．０ｃｍとする。換言すれば、第１の伸縮片５０Ｒ１の任意方向の長さをそれに対応する後身頃の部位の長さに対して約１０．２％小さくする。
【００６３】
また、第２の伸縮片５０Ｒ２の任意方向の長さ、例えば図１０で符号ｆで示す長さ（ワタリ方向の長さ）を２８．５ｃｍとすると共に、それに対応する後身頃１４の部位の長さｆ´（図１１に示す。ワタリ方向の長さ）を３１．５ｃｍとし、差異を３．０ｃｍとする。別言すれば、第２の伸縮片５０Ｒ２の任意方向の長さをそれに対応する後身頃の部位の長さに対して約９．５％小さくする。
【００６４】
さらに、第２の伸縮片５０Ｒ２の任意方向の長さ、例えば図１０の長さｇを３３．４ｃｍとすると共に、それに対応する後身頃１４の部位の長さ（図１１に「ｇ´」で示す）を３６．０ｃｍとし、差異を２．６ｃｍとする。換言すれば、第２の伸縮片５０Ｒ２の任意方向の長さをそれに対応する後身頃の部位の長さに対して約７．２％小さくする。
【００６５】
次いで、上記のように構成された第１、第２の伸縮片５０Ｒ１，５０Ｒ２の後身頃１４Ｒへの取り付けについて説明する。
【００６６】
先ず、既にダーツ３０が形成されると共に、後ろヨーク２６およびヒップポケット２４Ｒが取り付けられた後身頃１４Ｒに、第１の伸縮片５０Ｒ１を仮止めする。具体的には、図８に示すように、第１の伸縮片５０Ｒ１を後身頃１４Ｒの臀部付近に配置した後、図示しないノッチ部分を仮止めする。次いで、その上から第２の伸縮片５０Ｒ２を、第１の伸縮片５０Ｒ１と交差させて部分的に重なり合うように配置する。このとき、第１の伸縮片５０Ｒ１と第２の伸縮片５０Ｒ２が重なり合う部分を、スラックス１０を着用したときの臀部の上端（いわゆるトップヒップＴ）が当接するような位置に配置する。その後、第２の伸縮片５０Ｒ２のノッチ部分（図示せず）を後身頃１４Ｒに仮止めする。
【００６７】
次いで、第１、第２の伸縮片５０Ｒ１，５０Ｒ２を後身頃のバックセンタＢＣ付近、あるいは後股ぐり１４Ｒａおよび股下部１４Ｒｂに縫着する（尻巻き工程）。その後、第１、第２の伸縮片５０Ｒ１，５０Ｒ２を後身頃１４Ｒの脇側１４Ｒｃに縫着する（脇合わせ工程）。尚、この明細書で「バックセンタ」とは、左右の後身頃１４Ｌ，１４Ｒと２枚の後ろヨーク２６とが全て重なり合う位置を意味する。
【００６８】
より具体的には、第１の伸縮片５０Ｒ１は、その一端５０Ｒ１ａが後身頃のバックセンタＢＣ付近、正確には、後股ぐり１４Ｒａから後身頃１４Ｒと後ろヨーク２６の間の部位に亘って縫着される一方、その他端５０Ｒ１ｂが後身頃の脇側１４Ｒｃ下端付近に縫着される。また、第２の伸縮片５０Ｒ２は、その一端５０Ｒ２ａが後身頃の後股ぐり１４Ｒａ下端から股下部１４Ｒｂ上端付近に亘って縫着される一方、その他端５０Ｒ２ｂが後身頃の脇側１４Ｒｃ上端付近に縫着される。
【００６９】
次いで、第２実施例に係る右のフロントポケット１８Ｒについて説明する。以下において右のフロントポケット１８Ｒを例に挙げて説明するが、左右のフロントポケットは左右対称のため、以下の説明は左のフロントポケット１８Ｌにも妥当する。
【００７０】
フロントポケット１８Ｒの袋布１８Ｒａは、伸縮性布地１８Ｒａ３と非伸縮性布地１８Ｒａ４の２種類の布地から製作される。具体的には、袋布１８Ｒａの、図において左側は伸縮性布地１８Ｒａ３から製作され、右側は非伸縮性布地１８Ｒａ４から製作される。伸縮性布地１８Ｒａ３は、第１実施例に係る第１の伸縮片と同様な、ナイロンやポリウレタンなどの混合糸からなる伸縮自在な生地であると共に、非伸縮性布地１８Ｒａ４は、例えばポリエステルと綿の綾物などである。
【００７１】
図８に示す如く、フロントポケット１８Ｒの袋布１８Ｒａは、伸縮性布地１８Ｒａ３を前身頃の前立部２０に縫着する（挟み込む）一方、非伸縮性布地１８Ｒａ４を前身頃の脇側１２Ｒａに縫着することで、前身頃１２Ｒに取り付けられる。
【００７２】
このように、この考案の第２実施例にあっては、左右の前身頃１２Ｌ，１２Ｒと、左右の後身頃１４Ｌ，１４Ｒと、前記左右の後身頃の内側の臀部付近にそれぞれ配置される複数個の伸縮片５０Ｌ，５０Ｒとを少なくとも備えるスラックス１０において、前記複数個の伸縮片を、略矩形状の布片から製作されると共に、その一端５０Ｒ１ａが前記後身頃のバックセンタＢＣ付近に縫着される一方、その他端５０Ｒ１ｂが前記後身頃の脇側１４Ｒｃ下端付近に縫着される第１の伸縮片５０Ｒ１（５０Ｌ１）と、および略矩形状の布片から製作されると共に、その一端５０Ｒ２ａが前記後身頃の後股ぐり１４Ｒａ下端から股下部１４Ｒｂ上端付近に亘って縫着される一方、その他端５０Ｒ２ｂが前記後身頃の脇側１４Ｒｃ上端付近に縫着される第２の伸縮片５０Ｒ２（５０Ｌ２）とから構成すると共に、前記第１、第２の伸縮片を交差させて部分的に重なり合わせ、その重なり合った部分を、スラックス１０を着用したときの臀部の上端（トップヒップＴ）が当接するような位置に配置するように構成したので、臀部を重なり合った部分で押さえつけることができ、臀部の形状を整える、即ち、矯正（補整）することができる。それにより、臀部全体が若干歪む、例えばヒップ全体が僅かに垂れ下がる、あるいは脇側へ少し広がってヒップラインの位置が僅かに下がった体形であっても、着用感を損ねることなく、所望のヒップアップ効果を得ることができる。
【００７３】
また、前記第１、第２の伸縮片５０Ｒ１，５０Ｒ２の任意方向における長さ（ｄ，ｅ，ｆ，ｇ）をそれぞれ、前記任意方向における前記後身頃の対応する部位の長さ（ｄ´，ｅ´，ｆ´，ｇ´）に比して小さくするように構成、即ち、前記任意方向における後身頃の対応する部位は、その小さくした分（差異分）だけ外側に膨らみ、第１、第２の伸縮片と後身頃との間に浮きが生じるように構成したので、スラックス１０を着用したときの第１、第２伸縮片は、第１、第２の伸縮片の任意方向における長さと後身頃の対応する部位の長さとに差異を設けない場合に比してより伸長する、換言すれば、収縮力を増加させることができ、よって臀部をより押さえつけることができ、その形状をより一層矯正することができる。
【００７４】
また、前記左右の前身頃１２Ｌ，１２Ｒにそれぞれポケット（フロントポケット１８Ｌ，１８Ｒ）を備えると共に、前記ポケットの袋布１８Ｌａ，１８Ｒａを伸縮性布地１８Ｌａ３，１８Ｒａ３と非伸縮性布地１８Ｌａ４，１８Ｒａ４とから製作し、前記伸縮性布地を前記前身頃の前立部２０に縫着する一方、前記非伸縮性布地を前記前身頃の脇側１２Ｌａ，１２Ｒａに縫着する、即ち、伸縮性布地を下腹部付近に配置し、下腹部を押さえつけるように構成したので、着用者の姿勢を良くすることができ、それに伴って臀部の形状も良くする（整える）ことができる。
【００７５】
尚、この考案をスラックスとして説明したが、この考案はズボンやパンタロンなど２本の脚を別々に被覆する外衣であれば適用可能である。また、スラックス１０をジーンズとしたが、それに限られるものではなく、カラーパンツなどであっても良い。
【００７６】
また、各伸縮片の任意方向の長さやそれに対応する後身頃の部位の長さなど具体的に示したが、それらの数値は例示であって仕様などに応じて適宜設定すべきであり、上記した値に限られないのはいうまでもない。
【００７７】
また、第１実施例に係るスラックス１０において、第１から第３の伸縮片３４Ｒ１，３４Ｒ２，３４Ｒ３を第１、第２、第３の順で後身頃１４Ｒに縫着するように構成したが、第１、第３、第２の順で縫着するように構成しても良い。
【００７８】
また、第１の伸縮片の上底部３４Ｒ１ｂを後ろヨーク２６と後身頃１４の間に縫着するように構成したが、後ろヨーク２６とベルト部１６の間に縫着するように構成しても良い。その意味から、実用新案登録請求の範囲では「腰部あるいはその付近」と記載した。
【図面の簡単な説明】
【００７９】
【図１】この考案の第１実施例に係るスラックスの正面図である。
【図２】図１に示すスラックスの背面図である。
【図３】図２に示す左右の後身頃の内側の臀部付近をスラックスを展開して表す拡大展開図である。
【図４】図３に示す第１の伸縮片のパターンを拡大して示す拡大平面図である。
【図５】図３に示す第２の伸縮片のパターンを拡大して示す、図４と同様な拡大平面図である。
【図６】図３に示す第３の伸縮片のパターンを拡大して示す、図４と同様な拡大平面図である。
【図７】図３に示す第１から第３の伸縮片が、左右の後身頃の内側の臀部付近に配置される前の状態を部分的に表す、図３と同様な拡大部分展開図である。
【図８】この考案の第２実施例に係る左右の後身頃の内側の臀部付近をスラックスを展開して表す、図３と同様な拡大展開図である。
【図９】図８に示す第１の伸縮片のパターンを拡大して示す拡大平面図である。
【図１０】図８に示す第２の伸縮片のパターンを拡大して示す、図９と同様な拡大平面図である。
【図１１】図８に示す第１、第２の伸縮片が、左右の後身頃の内側の臀部付近に配置される前の状態を部分的に表す、図８と同様な拡大部分展開図である。
【符号の説明】
【００８０】
１０  スラックス、１２Ｌ，１２Ｒ  （左右の）前身頃、１２Ｌａ，１２Ｒａ  （前身頃の）脇側、１４Ｌ，１４Ｒ  左右の後身頃、１４Ｒａ  （後身頃の）後ろ股ぐり、１４Ｒｂ  （後身頃の）股下部、１４Ｒｃ  （後身頃の）脇側、１８Ｌ，１８Ｒ  フロントポケット（ポケット）、１８Ｌａ，１８Ｒａ  （ポケットの）袋布、１８Ｌａ３，１８Ｒａ３  伸縮性布地（第２実施例）、１８Ｌａ４，１８Ｒａ４  非伸縮性布地（第２実施例）、２０  前立部、３４Ｌ，３４Ｒ  複数個の伸縮片（第１実施例）、３４Ｌ１，３４Ｒ１  第１の伸縮片、３４Ｒ１ａ  （第１の伸縮片の）下底部、３４Ｒ１ｂ  （第１の伸縮片の）上底部、３４Ｌ２，３４Ｒ２  第２の伸縮片、３４Ｒ２ｃ  （第２の伸縮片の）一端、３４Ｒ２ｄ  （第２の伸縮片の）他端、３４Ｌ３，３４Ｒ３  第３の伸縮片、３４Ｒ３ｂ  （第３の伸縮片の）一端、３４Ｒ３ｃ  （第３の伸縮片の）他端、５０Ｌ，５０Ｒ  複数個の伸縮片（第２実施例）、５０Ｌ１，５０Ｒ１  第１の伸縮片、５０Ｒ１ａ  （第１の伸縮片の）一端、５０Ｒ１ｂ  （第１の伸縮片の）他端、５０Ｌ２，５０Ｒ２  第２の伸縮片、５０Ｒ２ａ  （第２の伸縮片の）一端、５０Ｒ２ｂ  （第２の伸縮片の）他端、ａ，ｂ，ｃ  ，ｄ，ｅ，ｆ，ｇ  （伸縮片の任意方向における）長さ、ａ´，ｂ´，ｃ´，ｄ´，ｅ´，ｆ´，ｇ´  （任意方向における後身頃の対応する部位の）長さ
【図１】
0003118292.tif 000003
【図２】
0003118292.tif 000004
【図３】
0003118292.tif 000005
【図４】
0003118292.tif 000006
【図５】
0003118292.tif 000007
【図６】
0003118292.tif 000008
【図７】
0003118292.tif 000009
【図８】
0003118292.tif 000010
【図９】
0003118292.tif 000011
【図１０】
0003118292.tif 000012
【図１１】
0003118292.tif 000013